(57)【要約】  【課題】  この考案は、座椅子を使用したままの状態で、座椅子使用者の脚部を保温できる脚部保温カバーを提供することを課題とする。  【解決手段】  この考案は、座椅子２に着座する使用者の脚部を保温する脚部保温カバー１であって、長さ方向の一端側に使用者の脚部を挿入可能とした挿入口１１と、長さ方向の他端側に閉鎖された袋状部１２とを有する本体部１０を備え、本体部１０は、上面部に、挿入口１１から袋状部１２に向かって本体部１０の内部を開閉する開閉部１３と、座椅子２に着脱可能に装着する装着手段とが設けられている【選択図】  図１
0003193047.tif 000002
【実用新案登録請求の範囲】
【請求項１】
座椅子に着座する使用者の脚部を保温する脚部保温カバーであって、
長さ方向の一端側に使用者の脚部を挿入可能とした挿入口と、長さ方向の他端側に閉鎖された袋状部とを有する本体部を備え、
前記本体部は、上面部に、前記挿入口から袋状部に向かって本体部の内部を開閉する開閉部と、前記座椅子に着脱可能に装着する装着手段とが設けられていることを特徴とする脚部保温カバー。
【請求項２】
前記開閉部は、第１片と第２片がそれぞれ開くように、本体部に切り込みが設けられ、第１片と第２片を閉じたときには、本体部の上面が閉ざされるように、第１片と第２片が重ね合うように構成されていることを特徴とする請求項１に記載の脚部保温カバー。
【請求項３】
前記本体部の下面は、座椅子の座面の側面から前方形状に対応したＵ字状の切り欠き部が設けられ、この切り欠き部の端部と座椅子の座面の側面に装着手段が設けられていることを特徴とする請求項１に記載の脚部保温カバー。
【請求項４】
座面と背もたれ部とを備えた座椅子において、
座面の前方部に請求項１〜３のいずれか１項に記載の脚部保温カバーを取り付けて、座面と脚部保温カバーの挿入口との間の空間に使用者の脚部を挿入可能とした座椅子。
【考案の詳細な説明】
【技術分野】
【０００１】
この考案は、座椅子に座る使用者の脚部を保温する脚部保温カバー及びこの保温カバーを備えた座椅子に関するものである。
【背景技術】
【０００２】
一般に、座椅子は座面フレームとクッション材及びこのクッション材を覆う表面部材とからなる座面と、背もたれフレームとクッション材及びクッション材を覆う表面部材とからなる背もたれ部とを備えている。
【０００３】
ところで、座椅子に保温性を持たせたものとして、背もたれ部内に加温具を収容し、この加温具を加熱し、背中を加温させるものが提案されている（例えば、特許文献１参照）。
【先行技術文献】
【特許文献】
【０００４】
【特許文献１】特開２００５−１８５６８６号公報
【考案の概要】
【考案が解決しようとする課題】
【０００５】
上記した特許文献１のものでは、背中を加温させることはできるが、脚部については、保温することができない。このため、冬季などに、座椅子に座った時に、脚部が寒いという難点があった。
【０００６】
この考案は、座椅子を使用したままの状態で、座椅子使用者の脚部を保温できる脚部保温カバー及び座椅子を提供することを課題とするものである。
【課題を解決するための手段】
【０００７】
この考案は、上記の課題を解決するために、座椅子に着座する使用者の脚部を保温する脚部保温カバーであって、長さ方向の一端側に使用者の脚部を挿入可能とした挿入口と、長さ方向の他端側に閉鎖された袋状部とを有する本体部を備え、前記本体部は、上面部に、前記挿入口から袋状部に向かって本体部の内部を開閉する開閉部と、前記座椅子に着脱可能に装着する装着手段とが設けられていることを特徴とする。
【０００８】
また、前記開閉部は、第１片と第２片がそれぞれ開くように、本体部に切り込みが設けられ、第１片と第２片を閉じたときには、本体部の上面が閉ざされるように、第１片と第２片が重ね合うように構成するとよい。
【０００９】
また、前記本体部の下面は、座椅子の座面の側面から前方形状に対応したＵ字状の切り欠き部が設けられ、この切り欠き部の端部と座椅子の座面の側面に装着手段が設けられていることを特徴とする。
【００１０】
また、この考案は、座面と背もたれ部とを備えた座椅子において、座面の前方部に上記に記載の脚部保温カバーを取り付けて、座面と脚部保温カバーの挿入口との間の空間に使用者の脚部を挿入可能に構成したものである。
【考案の効果】
【００１１】
この考案においては、座椅子の使用者は、座椅子の座面に座り、挿入口から脚部を脚部保温カバーに挿入することにより、使用者の脚部は、脚部保温カバーで覆われ、保温することができる。
【００１２】
また、脚部保温カバーの開閉部を開放することで、座椅子の使用者は、容易に脚部を抜き出すことができる。
【図面の簡単な説明】
【００１３】
【図１】この考案の実施形態に係る座椅子の座面側から見た斜視図である。
【図２】この考案の実施形態に係る座椅子の底面側から見た斜視図である。
【図３】この考案の実施形態に係る座椅子から座椅子用脚部保温カバーを外した状態を座面側から見た示す斜視図である。
【図４】この考案の実施形態に係る座椅子から座椅子用脚部保温カバーを外した状態を底面側から見た示す斜視図である。
【図５】この考案の実施形態に係る座椅子の使用状態を示す斜視図である。
【図６】この考案の実施形態に係る座椅子の使用状態を示す斜視図である。
【図７】この考案の実施形態に係る座椅子の使用状態を示す斜視図である。
【考案を実施するための形態】
【００１４】
この考案の実施形態を添付図面に基づいて具体的に説明する。なお、この考案に係る座椅子は、下記の実施形態に示したものに限定されず、その要旨を変更しない範囲において適宜変更して実施できるものである。
【００１５】
図１〜図４は、この考案の第１の実施形態にかかる脚部保温カバーを備えた座椅子を示しており、脚部保温カバー１は、座椅子２に着脱可能に構成されている。この脚部保温カバー１は、長さ方向の一端側に座椅子使用者の脚部を挿入可能とした挿入口１１が設けられ、長さ方向の他端側が閉鎖された袋状部１２を有する本体部１０を備える。
【００１６】
本体部１０は、上面部に、挿入口１１から袋状部１２に向かって本体部１０の内部を開閉する開閉部１３が設けられ、この開閉部１３は、図４及び図６に示すように、本体部１０を第１片１３ａ、第２片１３ｂがそれぞれ開くように、切り込み１３ｃが設けられ、第１片１３ａと第２片１３ｂを閉じたときには、本体部１０の上面が閉ざされるように、第１片１３ａが第２片１３ｂの上に重ね合うように構成されている。また、本体部１０には、この開閉部１３を閉じるためのフック１４が設けられている。
【００１７】
かかる脚部保温カバー１の本体部１０及び袋状部１２は、キルトや毛布地、その他の厚手生地の保温性に優れたものを縫製加工して形成される。
【００１８】
上記した開閉部１３は、フック１４により、第１片１３ａと第２片１３ｂとを閉じるように構成しているが、面ファスナーやスライダーファスナーを用いて、第１片１３ａと第２片１３ｂを開閉するように構成することもができる。
【００１９】
本体部１０の下側には、座椅子２の座面２１の下側に着脱可能に装着する装着手段３が設けられている。本体部１０の下面は図４に示すように、座椅子２の座面２１の側面から前方形状に対応したＵ字状の切り欠き部１５が設けられ、この切り欠き部１５の端部に、装着手段３の一部が設けられている。この実施形態では、装着手段３として、スライダーファスナーを用い、切り欠き部１５の端部に、多数のエレメントを有するテープ３１が取り付けられ、対応する座面２１の側面に、多数のエレメントを有するテープ３２が取り付けられている。この実施形態では、テープ３１にスライダー３３が設けられ、テープ３１、３２及びスライダー３３により、装着手段３が構成されている。スライダー３３の操作により、各テープ３１、３２のエレメントを係合又は開放する。すなわち、スライダー３３の操作により、各テープ３１、３２のエレメントを係合させることにより、座椅子２の座面２１に延在するように、脚部保温カバー１が取り付けられる。また、スライダー３３の操作により、各テープ３１、３２のエレメントを開放することにより、座椅子２から保温カバー１を取り外すことができる。
【００２０】
この実施形態では、座椅子２の座面２１に脚部保温カバー１を装着する装着手段３として、スライダーファスナーを用いているが、面ファスナー等を用いて、座椅子２の座面２１に脚部保温カバー１を装着するように構成することもできる。
【００２１】
脚部保温カバー１を装着する座椅子２は、図１〜図４で示したように、座面２１とこの座面の後端に角度調整金具（図示せず）を介して揺動自在に支持した背もたれ部２２とからなり、前述したように、この座面２１の前方部に脚部保温カバー１を取り付けて、座面２１と脚部保温カバー１の挿入口１１との間の空間に使用者の脚部を挿入する。
【００２２】
図５〜図７を参照して、この脚部保温カバー１を装着した座椅子２の使用方法につき説明する。座椅子２の前方部に脚部保温カバー１を装着し、図５に示すように、開閉部１３のフック１４を外し、第１片１３ａと第２片１３ｂとを開き、脚部保温カバー１の挿入口１１を大きく開放する。この状態で、図６に示すように、使用者ｕは、座椅子２の座面２１に座り、挿入口１１から脚部を脚部保温カバー１内に挿入する。このとき、使用者ｕは第１片１３ａと第２片１３ｂとが開かれて、脚部保温カバー１の挿入口１１を大きく開放しているので、脚部を容易に本体部１０内に挿入することができる。
【００２３】
その後、図７に示すように、第１片１３ａと第２片１３ｂを閉じ、本体部１０の上面を閉ざし、フック１４で閉じることにより、使用者ｕの脚部は、脚部保温カバー１で覆われ、保温することができる。
【００２４】
また、脚部保温カバー１より、使用者ｕが脚部を抜き出すときには、フック１４を開放し、第１片１３ａと第２片１３ｂとを開けば、容易に脚部を抜き出すことができる。
【符号の説明】
【００２５】
１      ：脚部保温カバー
２      ：座椅子
３      ：装着手段
１０    ：本体部
１１    ：挿入口
１２    ：袋状部
１３    ：開閉部
１３ａ  ：第１片
１３ｂ  ：第２片
１４    ：フック
１５    ：切り欠き部
２１    ：座面
２２    ：背もたれ部
【図１】
0003193047.tif 000003
【図２】
0003193047.tif 000004
【図３】
0003193047.tif 000005
【図４】
0003193047.tif 000006
【図５】
0003193047.tif 000007
【図６】
0003193047.tif 000008
【図７】
0003193047.tif 000009